(57)【要約】      （修正有）【課題】薄型、軽量の広告装置を提供する。【解決手段】環状の縁材の上部内側に光透過性シートに文字、図形などの広告対象物を表示した広告シート８を張設し、該広告シートの下部に前記広告シートの照明用発光パネル２を対向設置すると共に、前記環状の縁材に、前記広告シートの張設手段を設けたことを特徴とする額縁付き広告装置により目的を達成した。【選択図】      図２
2005345539.tif 000002
【特許請求の範囲】
【請求項１】
環状の縁材の上部内側に光透過性シートに文字、図形などの広告対象物を表示した広告シートを張設し、該広告シートの下部に前記広告シートの照明用発光パネルを対向設置すると共に、前記環状の縁材に、前記広告シートの張設手段を設けたことを特徴とする額縁付き広告装置。
【請求項２】
光透過性シートは、透明合成樹脂シートに半透明処理し、又は半透明材料を用いたシートとしたことを特徴とする請求項１記載の額縁付き広告装置。
【請求項３】
発光パネルは、絶縁パネルに多数の発光ダイオード素子を並列固定したことを特徴とする請求項１記載の額縁付の広告装置。
【請求項４】
環状縁材の少なくとも対向する１対の縁材は、開閉可能に固定したことを特徴とする請求項１記載の額縁付の広告装置。
【発明の詳細な説明】
【技術分野】
【０００１】
この発明は広告シートを用い照明を内装した大型広告装置において、その総厚さを薄くすることを目的とした額縁付の広告装置に関する。
【背景技術】
【０００２】
従来照明を内装した大型広告装置は、照明内装部分が厚くなるので、全体として大型かつ大重量の装置となっている。従って、これを支持する装置も本格的構造体とすることが必須要件であった。
【特許文献１】特許第３４７７２７２号
【特許文献２】実公平３−１４６９０
【発明の開示】
【発明が解決しようとする課題】
【０００３】
前記従来の照明内装広告装置は、照明用の光源が大きいので（例えば光源部の厚さが１００ｍｍ〜１３０ｍｍ）、全体の厚さが１５０ｍｍ〜３００ｍｍとなり、これに伴って縁材も大型化し、重量も大きくなるなどの問題点があった。例えば、縦１５００ｍｍ、横３０００ｍｍの広告装置の場合には、往々５００ｋｇ〜１０００ｋｇになる場合もあり、これに伴って広告装置の支承構造も相当堅固にしなければならない問題点があった。
【課題を解決するための手段】
【０００４】
然るにこの発明は、内装する照明として発光パネルを採用したので、厚さ２．０ｍｍ〜３．０ｍｍとなり、発光パネル自体の軽量化と、全広告装置の軽量化（例えば、縦１５００ｍｍ〜横３０００ｍｍで８０ｋｇ以下）が可能となり、前記従来の問題点を解決したのである。
【０００５】
即ちこの発明は、環状の縁材の上部内側に光透過性シートに文字、図形などの広告対象物を表示した広告シートを張設し、該広告シートの下部に前記広告シートの照明用発光パネルを対向設置すると共に、前記環状の縁材に、前記広告シートの張設手段を設けたことを特徴とする額縁付き広告装置であり、光透過性シートは、透明合成樹脂シートに半透明処理し、又は半透明材料を用いたシートとしたものである。また、発光パネルは、絶縁パネルに多数の発光ダイオード素子を並列固定したものであり、環状縁材の少なくとも対向する１対の縁材は、開閉可能に固定したものである。
【０００６】
前記発光ダイオードを使用した場合には、発光パネルの厚さを２．０ｍｍ〜３．０ｍｍ程度にすることができる。
【０００７】
前記において広告シートの表面側に透明保護板を設置したり、広告シートと、発光パネルの間に乱反射又は乳白色処理した。光分散板を介装することもある。
【０００８】
前記のように、この発明の発光パネルと光透過性シートは必要な光量を得ると共に、光を分散させて、均等光量分布とし、広告効果を向上させることにある。
【発明の効果】
【０００９】
この発明は、照明内装の広告装置において、照明用光源として発光パネルを採用したので、照明が板状になって薄くなり、全体の厚さを著しく小さくする効果がある。従って、これに縁材を固定した場合にも広告装置の全厚さが極めて薄くなり、大型広告にも拘らず、軽量で支持材も簡単になるなどの諸効果がある。
【発明を実施するための最良の形態】
【００１０】
基アルミアングルの水平材に、発光パネルの周縁部を固定し、前記基アルミアングルの垂直材に支アルミアングルの垂直材を固定し、前記基アルミアングルの垂直材の上部に支アルミアングルの垂直材を固定し、支アルミアングルの水平材上に広告シートの周縁部を固定する。
【００１１】
前記基アルミアングルの外側上部に、可動アルミアングルの外側下部を回転自在に取付け、前記可動アルミアングルの内側垂直部へ支アルミアングルの垂直部を固定し、支アルミアングルの水平材上に透明の表面板の外周縁部を固定してこの発明の額縁付の広告装置を構成した。
【実施例１】
【００１２】
この発明の実施例を図１、２に基づいて説明すると、基アルミアングル１の内側下部の水平材１ａに裏板２７を固定し裏板２７に発光パネル２の周縁部を固定し、前記基アルミアングル１の外側上部に設けた凹入部３の底部４へ、広告シート８の周縁部８ａを凹入設置して、押え片５を介してボルト９で固定する。このように押え片５で押えることにより、広告シートは張設される。前記基アルミアングル１の外側上部に押えアルミ板１１の外側下部を回転自在に取付け、押えアルミ板１１の水平材１１ａにより、広告シート８の周縁部を基アルミアングル１側へ押し付けてこの発明の広告装置１０を構成した。
【００１３】
前記実施例によれば、発光パネル２の発光ダイオード素子６で発生した光線は、矢示１２、１３のように広告シート８を透過し広告を表示することができる。
【００１４】
前記実施例において，発光パネル２の回路に入力（通電）すると、発光ダイオード素子１４、１４が発光し、その光線は前記矢示１２、１３のように広告シートを透過するので，外界には、広告シート８の広告情報が表示される。図中１５はヒンジ部であり、押えアルミ板１１、１１ａ（対向位置）、押えアルミ板１６、１６により四周を固定している（図１）。
【実施例２】
【００１５】
この発明の他の実施例を図３に基づいて説明すると、基アルミアングル１８の内側水平材１８ａに、発光パネル２の周縁部を固定し、前記基アルミアングル１８の外側上部に設けた凹入部１９の底部１９ａへ、広告シート８の周縁部８ａを凹入設置して、押え片２１を介してボルト２２で固定する。前記基アルミアングル１８の外側上部へ押えアルミ板２３の外側下部を回転自在に取付け、押えアルミ板２３の水平材２３ａにより、広告シート８の周縁部を、基アルミアングル１８側へ押し付けてこの発明の広告装置２０を構成した。図中２５はインバータ、２６は補強パイプ、２７は裏板である。
【００１６】
前記実施例によれば、発光パネル２で発生した光線は矢示２４のように広告シート８を通過し広告を表示することができる。
【図面の簡単な説明】
【００１７】
【図１】この発明の実施例の一部を省略した正面図。
【図２】（ａ）同じく一部を省略した拡大断面図、（ｂ）同じく広告シート端の固定を示す一部拡大図。
【図３】同じく他の実施例の一部を省略した拡大断面図。
【符号の説明】
【００１８】
１  基アルミアングル
２  発光パネル
３  凹入部
４  底部
５  押え片
６  発光ダイオード素子
７  絶縁シート
８  広告シート
９  ボルト
１０  広告装置
１１  押えアルミ板
【図１】
2005345539.tif 000003
【図２】
2005345539.tif 000004
【図３】
2005345539.tif 000005